(57)【要約】      （修正有）【課題】誤ってストッパを外し忘れたままでの操作レバーの牽曳が防止できるトリガー式噴出器を提供する。【解決手段】トリガー式噴出器10のノズル15の外周部に、噴射孔15aの閉じ状態ではノズル15の上部に位置する加飾部Ａと、この加飾部Ａを透視可能に保護する透明又は半透明なカバー16と、ノズル15に固定保持される基部18に取り付けられ噴射孔15aを閉じるときにはノズル15と共に回動してレバー11の牽曳を阻止する位置にてレバー11の牽曳を不能にし噴射孔15ａを開くときにはノズル15と共に回動してレバー11の牽曳を阻止する位置から離間してレバー11の牽曳を可能にするストッパ18とを設け、このストッパ18は、基部17と共に、レバー11と異なる色彩を有するものである。【選択図】図２
2006167686.tif 000002
【特許請求の範囲】
【請求項１】
操作レバーの牽曳・復帰の繰り返しにより容器内の内容物を吸引・圧送するポンプと、このポンプによって圧送した内容物を外部に開放された開口に向けて送給する送給経路を有するボディと、このボディの開口に通じる噴射孔を有し前記開口側で回動自在に保持されその回動に応じて当該噴射孔を開閉する噴射ノズルとを備え、
この噴射ノズルの外周部に、噴射孔の閉じ状態では噴射ノズルの上部に位置する加飾部と、この加飾部を透視可能に保護する透明又は半透明なカバーと、前記噴射ノズルに固定保持される基部に取り付けられ噴射孔を閉じるときには前記噴射ノズルと共に回動して前記操作レバーの牽曳を阻止する位置にて当該操作レバーの牽曳を不能にし前記噴射孔を開くときには前記噴射ノズルと共に回動して前記操作レバーの牽曳を阻止する位置から離間して当該操作レバーの牽曳を可能にするストッパとを設け、
このストッパは、前記操作レバーと異なる色彩を有するものであることを特徴とするトリガー式噴出器。
【請求項２】
前記基部は、前記ストッパと同じ色彩を有するものである請求項１に記載のトリガー式噴出器。
【発明の詳細な説明】
【技術分野】
【０００１】
本発明は、操作レバーの牽曳・復帰を繰り返してポンプを動作させることによりボディの送給経路開口側に回動自在に保持された噴射ノズルから容器内の内容物を噴射するトリガー式噴出器に関するものである。
【背景技術】
【０００２】
トリガー式噴出器には、操作レバーを誤って牽曳させた場合の誤噴射を防止するため、ボディの送給経路の開口側に噴射ノズルを回動自在に保持し、当該噴射ノズルの回動によりその噴射孔の開閉を切り替えできる構成に、この噴射ノズルと共に回動して前記操作レバーの牽曳を適宜阻止することができるストッパを組み合わせたものがある（例えば、特許文献１参照。）
【特許文献１】特許第３２４３７４３号公報
【０００３】
加えて、上記噴射ノズルにあっては、その噴射孔の開閉が確実に判読できるように、例えば、「開」、「閉」等の文字を加飾（ホットスタンプ等）しているが、内容物が例えば次亜塩素酸を含むカビ取り剤などの強い性質のものであってその内容物が加飾した文字に直接触れてしまう場合、この加飾した文字が剥がれてしまうという問題があった。
【０００４】
そこで、従来は、文字等をその表面に加飾した噴射ノズルに、全体を透明又は半透明にしたストッパを被せることにより、ストッパそのものの機能を確保しつつ、噴射ノズルに加飾した文字が内容物の影響を受けて剥がれることなく、当該文字がストッパを透して目視できるようにしていた。
【０００５】
しかしながら、上記トリガー式噴出器は、ストッパが透明であるため、ストッパとトリガーとの識別がしにくく、ストッパを外し忘れたままトリガーを牽曳してしまうことがある。この場合、その牽曳が非常に大きな力であると、噴射ノズルが取り付けられたボディの送給経路の開口側が変形して噴射に不具合を生じさせたり、最悪、この噴射ノズルが脱落してしまうという不都合が生じる可能性が存在していた。
【発明の開示】
【発明が解決しようとする課題】
【０００６】
本発明の解決すべき課題は、こうした事実に鑑みてなされたものであり、誤ってストッパを外し忘れたまま、ストッパごと操作レバーを牽曳しまうことを防止することにある。
【課題を解決するための手段】
【０００７】
本発明は、操作レバーの牽曳・復帰の繰り返しにより容器内の内容物を吸引・圧送するポンプと、このポンプによって圧送した内容物を外部に開放された開口に向けて送給する送給経路を有するボディと、このボディの開口に通じる噴射孔を有し前記開口側で回動自在に保持されその回動に応じて当該噴射孔を開閉する噴射ノズルとを備え、この噴射ノズルの外周部に、噴射孔の閉じ状態では噴射ノズルの上部に位置する加飾部と、この加飾部を透視可能に保護する透明又は半透明なカバーと、前記噴射ノズルに固定保持される基部に取り付けられ噴射孔を閉じるときには前記噴射ノズルと共に回動して前記操作レバーの牽曳を阻止する位置にて当該操作レバーの牽曳を不能にし前記噴射孔を開くときには前記噴射ノズルと共に回動して前記操作レバーの牽曳を阻止する位置から離間して当該操作レバーの牽曳を可能にするストッパとを設け、このストッパは、前記操作レバーと異なる色彩を有するものであることを特徴とするものである。なお、本発明において、色彩とは、単色のみならず、複数の色を組み合わせて模様を形成するものも含む。
【０００８】
特に、本発明において、前記基部は、前記ストッパと同じ色彩を有するものであることが好ましい。
【発明の効果】
【０００９】
本発明にあっては、噴射ノズルを回動させてその噴射孔を閉じた状態では、ストッパが噴射ノズルと共に回動して操作レバーの牽曳を阻止する位置にて当該操作レバーの牽曳を不能にするが、このとき、ストッパは、操作レバーと異なる色彩を有して操作レバーと明確に識別できるため、実際に使用するときに、ストッパが操作レバーから外れているか否かを全体の印象として認識できる。加えて、噴射孔を閉じた状態にあっては、噴射ノズルの上部から噴射孔の閉じ状態を示す加飾部が透明又は半透明のカバーを透して目視できるため、この加飾部の視認からも、ストッパが操作レバーから外れているか否かを認識できる。
【００１０】
従って、本発明によれば、実際に使用するに際して、誤ってストッパを外し忘れたままストッパごと操作レバーを牽曳してしまうことがなくて済むため、操作レバーに加えられた負荷が噴射ノズルに伝わり、噴射ノズルを取り付けたボディの送給経路の開口側が変形して噴射に不具合を生じさせたり、噴射ノズルが脱落する等の不都合を解消できる。しかも、本発明によれば、噴射孔の閉じ状態において、噴射ノズルの上部に位置する加飾部がカバーにより保護されるため、内容物等に触れた加飾部が噴射ノズルから剥がれる問題も解消される。
【００１１】
特に本発明にあっては、噴射ノズルに固定保持されストッパが取り付けられた基部を、ストッパと同じ色彩を有するものとすれば、ストッパが操作レバーから外れているか否かを全体の印象として更に明確に認識できる。
【発明を実施するための最良の形態】
【００１２】
以下、図面を参照して本発明を詳細に説明する。
【００１３】
図１は、本発明の第一の形態であるトリガー式噴出器10の縦断面図であり、図２は、その領域Ｘを示す要部拡大図である。更に図３は、後述のストッパ18が外れてトリガー式噴出器10の噴射が可能な状態を示す斜視図である。
【００１４】
図１において、符号11は、使用者により牽曳される操作レバー、符号12は、操作レバー11の牽曳・復帰の繰り返しにより容器30内の内容物を吸引・圧送するポンプＰを備えるボディである。ポンプＰは、ボディ12と一体に形成されたシリンダ12ｓと、このシリンダ12ｓ内に配したスプリングＳ1を介して摺動自在に弾性支持されたピストン13とを有し、このピストン13を介して付勢されるスプリングＳ1の弾性力が操作レバー11の牽曳に対する復帰を促す。
【００１５】
ボディ12は、容器30の内部に通じるチューブＴを備え装着キャップＲを介して容器30の口部31に螺着されるインテークＩと、このインテークＩに保持されポンプＰの作用によって開閉する吸入弁(ボール弁)Ｂと、この吸入弁Ｂから供給されポンプＰによって圧送した内容物をインテークI上方に配した吐出バルブを経て外部に開放された開口12ａに向けて送給する送給経路12ｂを有する。なお、本形態において、この開口12ａ側には、スピンエレメント14を介して噴射ノズル15が回動自在に保持されている。
【００１６】
噴射ノズル15は、図２に示す如く、スピンエレメント14を介して開口12ａに通じる噴射孔15ａを有しその回動に応じて当該噴射孔15ａを開閉し、その外周部に、噴射孔15ａの閉じ状態において噴射ノズル15の上部に位置して「閉」の文字がホットスタンプされた第一加飾部Ａと、噴射孔15ａの開き状態において噴射ノズル15の上部に位置して「開」の文字がホットスタンプされた第二加飾部Ｂとが設けられている。
【００１７】
また、噴射ノズル15には、この噴射ノズル15と共にボディ12に対して回動するカバー16と、基部17を介して噴射ノズル15と共に回動するストッパ18とが設けられている。本形態にあっては、カバー16の後端部16ｂと、基部17の前端部17ａとは、互いに組み合う段差を有し、これら後端部16ｂ及び前端部17ａを突き当てて基部17を介してカバー16とストッパ18とを一体に連結している。
【００１８】
カバー16は、透明又は半透明な材質からなり、図２に示す如く、噴射ノズル15が内部嵌合する筒状体である。このため、カバー16は、噴射ノズル15に施した加飾部Ａ，Ｂを透視可能に保護しつつ、この噴射ノズル15の回動に伴い、当該噴射ノズル15と共に一体回動する。加えて、カバー16は、噴射ノズル15の噴射孔15ａとの相互間に内容物とエアとを混合する内部空間Ｒを形成し、この内部空間Ｒを外部に開放する噴出孔16ａとこの噴射孔16ａから放射状に広がる複数のスリットＳとを有する障害板16ｃを一体に備える。
【００１９】
基部17は、図２に示す如く、噴射ノズル15が内部嵌合する筒状体であって、操作レバー11と異なる色彩の材質により、ストッパ18が一体に成形されている。このストッパ18は、噴射孔15ａを閉じるときには、噴射ノズル15と共に回動してストッパ18が操作レバー11の牽曳を阻止する位置にて当該操作レバー11の牽曳を不能にし、噴射孔15ａを開くときには、図３に示す如く、噴射ノズル15と共に回動してストッパ18が操作レバー11の牽曳を阻止する位置から離間して当該操作レバー11の牽曳を可能にする。
【００２０】
本形態にあっては、噴射ノズル15を回動させてその噴射孔15ａを閉じた状態では、ストッパ18が噴射ノズル15と共に回動して操作レバー11の牽曳を阻止する位置にて当該操作レバー11の牽曳を不能にするが、このとき、基部17とストッパ18とは、操作レバー11と異なる色彩を有して操作レバー11と明確に識別できるため、実際に使用するときに、ストッパ18が操作レバー11から外れているか否かを全体の印象として認識できる。加えて、噴射孔15ａを閉じた状態にあっては、噴射ノズル15の上部から噴射孔15ａの閉じ状態を示す加飾部Ａ，Ｂが透明又は半透明のカバー16を透して目視できるため、この加飾部Ａ，Ｂの視認からも、ストッパ18が操作レバー11から外れているか否かを認識できる。
【００２１】
従って、本形態によれば、実際に使用するに際して、誤ってストッパ18を外し忘れたままストッパ18ごと操作レバー11を牽曳してしまうことがなく済むため、噴射ノズル15を取り付けたボディ12の送給経路12ｂの開口12ａ側が変形して噴射に不具合を生じさせたり、噴射ノズル15が脱落する等の不都合を解消できる。しかも、本形態によれば、噴射孔15ａの閉じ状態において、噴射ノズル15の上部に位置する加飾部Ａ，Ｂがカバー16により保護されるため、内容物等に触れた加飾部Ａ，Ｂが噴射ノズル15から剥がれる問題も解消される。
【００２２】
本形態にあっては、噴射ノズル15に固定保持されストッパ18が取り付けられた基部18を、ストッパ17と同じ色彩を有するものとするため、ストッパ18が操作レバー11から外れているか否かを全体の印象として更に明確に認識できる。
【００２３】
図４は、本発明の第二の形態であるトリガー式噴出器20の縦断面図であり、図５は、その領域Ｘを示す要部拡大図である。なお、以下の説明において、図１〜３と同一部分については、同一符号をもってその説明を省略する。
【００２４】
本形態にあっては、カバー16の後端部16ｂに基部17を保護する拡張部16ｄと、この拡張部16ｄに基部17を挟持してストッパ18を案内するスリット16ｓとが設けられている。かかる構成によれば、噴射ノズル15とカバー16との相互間からの内容物の浸入が効果的に防止できるため、噴射ノズル15に施された加飾部Ａ，Ｂの剥がれ防止に有効である。
【００２５】
図６は、本発明の第三の形態であるトリガー式噴出器30の斜視図であり、図７は、そのノズル付近のＹ−Ｙ断面を示す要部拡大図である。なお、以下の説明において、図１〜３と同一部分については、同一符号をもってその説明を省略する。
【００２６】
本形態にあっては、第一及び第二の形態に示したボディ12につき、その外観形態を示す部位を別体のシュラウド32とし、ボディ12に対し嵌着したものを示している。当該シュラウド32は、その前方形状が噴射ノズル15の先端付近まで覆う如く延長されており、加飾部Ａ，Ｂの視認を可能とするため、前端上部を切り欠いた切り欠き部ｎを有する。更に、スピンエレメントはボディ12からの不用意な抜けを防止する目的で、ボディ12に一体に成形されており、噴射ノズル15の構造の簡略化も図られている。また、ボディ12の前方上部には弾性片12ｃが一体に形成されており、更に、この弾性片12ｃは、シュラウド32の内面32ｆに設けた爪部32ａに当接している。かかる構成によれば、ボディ12に対してシュラウド32を弾支できるため、延長したシュラウド32と合わせトリガー式噴出器に加わる衝撃を吸収することができる。なお、本形態の基本構成は、図１に示したカバー16及びストッパ18を備えた第一形態をベースに説明しているが、その基本構成は、図４，５に示した第二形態をベースにすることも可能である。
【００２７】
上述したところは、本発明のいくつかの形態を例示したに過ぎず、用途に応じて様々に設計変更することができる。例えば、カバー16において、泡噴射を目的とする障害板16ｃは、別体であってもよい。また、障害板16ｃを設けることなく、噴射ノズル15から直接内容物を噴射するようにしてもよい。その場合、噴射ノズル15は、スピンエレメント14を介することなく、ボディ12の送給経路12ｂの開口12ａに直接取り付ける構成としてもよい。
【００２８】
加えて、基部17及びストッパ18に施された色彩は、材質そのものに着色を施したものに限らず、その表面に着色を施したり、シール等で加飾することも可能である。更に、その色彩も少なくともストッパ18に施してあればよく、基部17はストッパ18と異なる色彩であってもよい。また、本発明において、色彩とは、単色のみならず、複数の色を組み合わせて模様を形成するものも含むが、特に、本形態の如く、単色である場合には生産性やコスト性に優れる。
【図面の簡単な説明】
【００２９】
【図１】本発明の第一の形態であるトリガー式噴出器の縦断面図である。
【図２】図１における領域Ｘを示す要部拡大図である。
【図３】同形態において、ストッパが外れてトリガー式噴出器の噴射が可能な状態を示す斜視図である。
【図４】本発明の第二の形態であるトリガー式噴出器の縦断面図である。
【図５】図４における領域Ｘを示す要部拡大図である。
【図６】本発明の第三の形態であるトリガー式噴出器の縦断面図である。
【図７】図６のＹ−Ｙ断面を示す要部拡大図である。
【符号の説明】
【００３０】
10    トリガー式噴出器
11    操作レバー
12    ボディ
12ａ  開口ボディ
12ｂ  送給経路
32ｃ  弾性片
12ｓ  シリンダ
13    ピストン
14    スピンエレメント
15    噴射ノズル
15ａ  噴射孔
16    カバー
17    基部
18    ストッパ
32    シュラウド
32ａ  爪部
32ｆ  シュラウド内面
Ａ    第一加飾部
Ｂ    第二加飾部
Ｐ    ポンプ
Ｓ    スリット
Ｓ1    スプリング
【図１】
2006167686.tif 000003
【図２】
2006167686.tif 000004
【図３】
2006167686.tif 000005
【図４】
2006167686.tif 000006
【図５】
2006167686.tif 000007
【図６】
2006167686.tif 000008
【図７】
2006167686.tif 000009